(57)【特許請求の範囲】
【請求項１】
駆動電極パッドおよび検知電極パッドのタッチ・センサ領域を生成することによりタッチ・センサへのルーティング・トレースの数を減らす方法において、異なるタッチ・センサ領域が、駆動電極パッドおよび検知電極パッドにおける異なる配置を有し、当該方法が、
駆動ルーティング・トレースを通じて駆動電極パッドに送信される駆動信号を生成し、検知ルーティング・トレースを通じて複数の検知電極から検知信号を受け取るために、タッチ・センサのタッチ・センサ・コントローラを設けるステップと、
前記タッチ・センサにタッチ・センサ領域を形成するステップであって、各タッチ・センサ領域が、
内側および外側を有する第１列に配置される第１の別個の複数の駆動電極パッドと、
内側および外側を有する第２列に配置される第２の別個の複数の駆動電極パッドであって、前記第１列の内側が前記第２列の内側に隣接する、第２の別個の複数の駆動電極パッドと、
前記第１列の外側に隣接する第１の検知電極と、
前記第２列の外側に隣接する第２の検知電極と、
を含む、ステップと、
各タッチ・センサ領域において前記駆動ルーティング・トレースに、前記第１列の内側および外側の両方と、前記第２列の内側および外側の両方とを横断するパスを設けるステップと、
を含み、更に、前記第１の検知電極または前記第２電極との少なくとも一方を、隣接するタッチ・センサ領域を横断して配置するステップを含む、方法。
【請求項２】
駆動電極パッドおよび検知電極パッドのタッチ・センサ領域を生成することによりタッチ・センサへのルーティング・トレースの数を減らす方法において、異なるタッチ・センサ領域が、駆動電極パッドおよび検知電極パッドにおける異なる配置を有し、当該方法が、
駆動ルーティング・トレースを通じて駆動電極パッドに送信される駆動信号を生成し、検知ルーティング・トレースを通じて複数の検知電極から検知信号を受け取るために、タッチ・センサのタッチ・センサ・コントローラを設けるステップと、
前記タッチ・センサにタッチ・センサ領域を形成するステップであって、各タッチ・センサ領域が、
内側および外側を有する第１列に配置される第１の別個の複数の駆動電極パッドと、
内側および外側を有する第２列に配置される第２の別個の複数の駆動電極パッドであって、前記第１列の内側が前記第２列の内側に隣接する、第２の別個の複数の駆動電極パッドと、
前記第１列の外側に隣接する第１の検知電極と、
前記第２列の外側に隣接する第２の検知電極と、
を含む、ステップと、
各タッチ・センサ領域において前記駆動ルーティング・トレースに、前記第１列の内側および外側の両方と、前記第２列の内側および外側の両方とを横断するパスを設けるステップと、
を含み、更に、前記第１の別個の複数の駆動電極パッドまたは前記第２の別個の複数の駆動電極パッドに駆動信号を送信するステップであって、前記第１の別個の複数の駆動電極パッドまたは前記第２の別個の複数の駆動電極パッドが、第１タッチ・センサ領域において強い電界を生成することになると共に、前記第１タッチ・センサ領域および第２タッチ・センサ領域における前記第１の別個の複数の駆動電極パッドまたは前記第２の別個の複数の駆動電極パッドの異なる配置のために、同一の前記駆動信号が、前記第１タッチ・センサ領域に隣接する前記第２タッチ・センサ領域において弱い電界を生成することになる、ステップを含む、方法。
【請求項３】
駆動電極パッドおよび検知電極パッドのタッチ・センサ領域を生成することによりタッチ・センサへのルーティング・トレースの数を減らす方法において、異なるタッチ・センサ領域が、駆動電極パッドおよび検知電極パッドにおける異なる配置を有し、当該方法が、
駆動ルーティング・トレースを通じて駆動電極パッドに送信される駆動信号を生成し、検知ルーティング・トレースを通じて複数の検知電極から検知信号を受け取るために、タッチ・センサのタッチ・センサ・コントローラを設けるステップと、
前記タッチ・センサにタッチ・センサ領域を形成するステップであって、各タッチ・センサ領域が、
内側および外側を有する第１列に配置される第１の別個の複数の駆動電極パッドと、
内側および外側を有する第２列に配置される第２の別個の複数の駆動電極パッドであって、前記第１列の内側が前記第２列の内側に隣接する、第２の別個の複数の駆動電極パッドと、
前記第１列の外側に隣接する第１の検知電極と、
前記第２列の外側に隣接する第２の検知電極と、
を含む、ステップと、
各タッチ・センサ領域において前記駆動ルーティング・トレースに、前記第１列の内側および外側の両方と、前記第２列の内側および外側の両方とを横断するパスを設けるステップと、
を含み、更に、
同位相である第１信号によって前記第１の別個の複数の駆動電極パッドまたは前記第２の別個の複数の駆動電極パッドの内から選択されたものを駆動し、前記第１信号とは異なる位相である第２信号によって前記第１の別個の複数の駆動電極パッドまたは前記第２の別個の複数の駆動電極パッドの内から選択された異なるものを駆動するステップであって、これにより、前記タッチ・センサ領域において発生される電界を修正する、ステップを含む、方法。
【請求項４】
請求項３記載の方法であって、更に、
幾らかの同位相の駆動信号および異なる位相の駆動信号を同一のタッチ・センサ領域に送信するステップであって、これにより、前記タッチ・センサ領域内で発生される電界の強度を変化させる、ステップを含む、方法。
【発明の詳細な説明】
【技術分野】
【０００１】
本発明は、全般的にタッチ・センサに関する。具体的には、本発明は、単一レイヤのタッチ・センサ上で検知を実行するために必要とされる電極の数を減らすシステムおよび方法に関するものである。
【背景技術】
【０００２】
電極を減らすシステムを利用することができる容量感応タッチ・センサには様々な設計がある。いずれの容量感応タッチパッドであれ、どのように本発明を活用できることをより良く理解するためには、タッチ・センサの基礎技術を調べることが有用である。
【０００３】
CIRQUE（登録商標）Corporation製のタッチパッドは、相互容量検知デバイスであり、一例を図１にブロック図として示す。このタッチパッド１０では、Ｘ（１２）およびＹ（１４）電極ならびに検知電極１６の格子が、タッチパッドのタッチ感応エリア１８を規定するために用いられる。通例、タッチパッド１０は約１６×１２電極、または空間的制約があるときは８×６電極の矩形格子となる。これらＸ（１２）およびＹ（１４）（または行および列）電極には、単一の検知電極１６が織りまぜられる。全ての位置測定は検知電極１６を通じて行われる。
【０００４】
CIRQUE（登録商標）Corporation製のタッチパッド１０は、検知線１６上における電荷の不均衡を測定する。タッチパッド１０上またはその近傍に指示物体(pointing object)がない場合、タッチパッド回路２０は均衡状態にあり、検知線１６上には電荷の不均衡はない。指示物体がタッチ表面（タッチパッド１０の検知エリア１８）に接近または接触したときの容量性結合のために、指示物体が不均衡を生ずると、電極１２，１４上に容量変化が生ずる。測定するのは容量変化であって、電極１２，１４上における絶対容量値ではない。タッチパッド１０は、検知ライン上において電荷均衡を再確立するために、即ち再現するために、検知ライン１６に注入しなければならない電荷量を測定することによって、容量変化を判定する。
【０００５】
上記システムは、タッチパッド１０上またはその近傍にある指の位置を、以下のようにして判定するために利用される。この例では、行電極１２について説明し、列電極１４についても同様に繰り返される。行および列電極の測定から得られた値が、タッチパッド１０上またはその近傍にある指示物体の重心である交点を決定する。
【０００６】
第１ステップでは、Ｐ，Ｎ発生器２２からの第１信号によって第１組の行電極１２が駆動され、Ｐ，Ｎ発生器からの第２信号によって、異なるが隣接する第２組の行電極が駆動される。タッチパッド回路２０は、どの行電極が指示物体に最も近いかを示す相互容量測定デバイス２６を用いて、検知線１６からの値を得る。しかしながら、マイクロコントローラ２８の制御下にあるタッチパッド回路２０は、行電極のどちら側に指示物体が位置するか未だ判定することができず、タッチパッド回路２０は、指示物体が電極からどの位離れて位置するか判定することもできない。このため、このシステムは駆動される電極１２のグループを１電極だけずらす。言い換えると、グループの一方側に電極を追加し、グループの逆側にある電極はもはや駆動されない。次いで、新たなグループがＰ，Ｎ発生器２２によって駆動され、検知線１６の第２測定値が取り込まれる。
【０００７】
これら２つの測定値から、行電極のどちら側に指示物体が位置するのか、そしてどれ位離れて位置するのか判定することが可能になる。次いで、２つの測定された信号の振幅を比較する式を用いて、指示物体の位置判定を行う。
【０００８】
CIRQUE（登録商標）Corporation製タッチパッドの感度または分解能は、１６×１２格子の行および列電極が含意するよりも遥かに高い。分解能は、通例、１インチ当たり約９６０カウント以上である。正確な分解能は、コンポーネントの感度、同じ行および列上にある電極１２、１４間の間隔、そして本発明にとっては重要でないその他の要因によって決定される。以上のプロセスは、Ｐ，Ｎ発生器２４を用いて、Ｙ即ち列電極１４に対して繰り返される。
【０００９】
以上で説明したCIRQUE製タッチパッドは、ＸおよびＹ電極１２，１４の格子、ならびに別個の単独検知電極１６を使用するが、多重化を使用することによって、実際には検知電極もＸまたはＹ電極１２，１４とすることができる。
【発明の概要】
【発明が解決しようとする課題】
【００１０】
上記のまたは他の検知技術を使用したタッチ・センサを使用して、単一レイヤのタッチ・センサ用の電極のタッチ・センサ・アレイを形成することができる。
【課題を解決するための手段】
【００１１】
第１実施形態では、本発明は、単一レイヤのタッチ・センサ上に駆動および検知電極を配置することによって、タッチ・センサを動作させるのに必要な電極の数を減らすためのシステムおよび方法である。電極に送られる駆動信号が非均一のパターンで送られるように電極が配置される。非均一のパターンは、タッチ・センサから選択された領域が有用な駆動信号を発生するのを可能にし、一方で残りの領域はそうはならない。駆動および検知電極の配置の結果、電極への／からの信号のルーティングがタッチ・センサの動作を干渉しない。
【００１２】
本発明のこれらおよびその他の目的、特徴、利点、ならびに代替態様は、以下の詳細な説明を添付図面と合わせて検討し考察することから、当業者には明白となるであろう。
【図面の簡単な説明】
【００１３】
【図１】図１は、従来技術で見つけられ、本発明で使用するために適合できるタッチパッドの動作についてのブロック図である。
【図２】図２は、従来技術で見つけられる電極の配置を示すタッチ・センサのブロック図である。
【図３】図３は、CIRQUE社によって製造され、単一レイヤのタッチ・センサにおける駆動および検知電極の第１実施形態の配置で使用される容量検知型タッチパッドが有するコンポーネントのブロック図である。
【図４】図４は、CIRQUE社によって製造され、単一レイヤのタッチ・センサにおける駆動および検知電極の第２実施形態の配置で使用される容量検知型タッチパッドが有するコンポーネントのブロック図である。
【図５】図５は、CIRQUE社によって製造され、単一レイヤのタッチ・センサにおける駆動および検知電極の第３実施形態の配置で使用される容量検知型タッチパッドが有するコンポーネントのブロック図である。
【発明を実施するための形態】
【００１４】
これより、本発明の様々な要素に番号指定(numeral designation)が与えられた図面を参照して、本発明について、当業者が本発明を行い使用することを可能にするために説明する。尚、以下の記載は、本発明の原理の説明に過ぎず、後に続く特許請求の範囲を狭めるように解釈してはならないことが理解されるべきである。
【００１５】
尚、本文書の全体を通じて、「タッチ・センサ」という用語の使用は、「近接センサ」、「タッチ・センサ」、「タッチおよび近接センサ」、「タッチ・パネル」、「タッチパッド」および「タッチ・スクリーン」と相互交換可能に使用されてもよいことは、理解されてしかるべきである。
【００１６】
駆動線は、幾らかの周波数および幾らかの振幅で切り替え(toggle)られるタッチ・コントローラの出力とされる。駆動線信号は、タッチ・センサの駆動電極に接続されることを意図する。検知線は、容量測定がなされるアナログ・ツー・ディジタル変換器（ＡＤＣ）に接続されるタッチ・コントローラへの入力とされる。検知線は、タッチ・センサの検知電極に接続されることを意図する。
【００１７】
電極は、駆動線または検知線として機能できる電気導体であり、電界が存在する間、指（または他の指示オブジェクト）と相互作用するタッチ・センサの一部としてもよい。電極は電圧によって駆動され、駆動線として機能するときに電界を生成する。或いは、電極は、検知線として機能するときに電界を受ける。駆動電極は電圧によって駆動される電極であり、１本以上の指と相互作用する電界を生成する。駆動電極は、タッチ・コントローラから伝送される駆動線に接続される。検知電極は、駆動電極からの電界を受け、１本以上の指によって変調される電極である。検知電極は、タッチ・コントローラへの入力となる検知線に接続される。
【００１８】
従来型のタッチ・センサは、インジウムスズ酸化物（ＩＴＯ）から形成される２層の導電性トレースで構成され、直交配列の電極（一般にＸおよびＹ電極配列と称される。）を実現することができる。本発明の実施形態は、コストを削減するために基板レイヤの内の１つを除去するタッチ・センサに向けられ、その結果、単一レイヤのタッチ・センサとなる。
【００１９】
１つの方法は、既に実装されており、タッチ・センサの２層の内の１つを除去する。この方法は、多数のジャンパを使用してＸおよびＹ電極の交差を容易にすることにより、単一のタッチ・センサ・レイヤを作製する。しかしながら、ジャンパを作製するために仕様されるプロセスは、重大なコストとなる場合がある。したがって、本発明の利益となるようにジャンパのシステムを除去することは有利となる。
【００２０】
図２は従来技術の１つの試行を例示する。長い電極ストリップとして検知電極を形成することによってタッチ・センサ３０上のジャンパを除去する一方で、駆動電極は多数の別個の電極パッドで構成される。図２では、検知電極は縦方向の矩形の電極ストリップ３２として示され、ｓ１，ｓ２，ｓ３，ｓ４，ｓ５としてラベル付けされている。駆動電極は、より小さい四角形の電極３４として示され、ｄ１からｄ１２としてラベル付けされている。なお、電極における特定の形状は図示目的のためだけであることが理解されるべきである。更に、駆動電極および検知電極は機能をスワップしてもよい。
【００２１】
同一数（即ち、縦の配列における位置）を有する駆動電極パッド３４の各々は、電気的に共に結合され、同一の駆動信号によって同時に駆動されることになる。
【００２２】
従来技術の当該方法は、少なくとも１つの重大な課題を有する。具体的には、所与のタッチ・センサ・サイズに対し、タッチ・センサ３０上に配置されることを要する信号ルーティング・トレース３６の数は、比較的大きくなる。駆動電極パッド３２の各々に提供されなければならない多数の信号ルーティング・トレース３６は、タッチ・センサ３０上で有用な間隔(space)を占有する。その結果、ドロップアウトおよび非線形性を引き起こすことによって、タッチ・センサの性能を著しく低減させることがある。信号ルーティング・トレース３６の数は、タッチ・センサ３０の全体サイズをも制限することがある。
【００２３】
図２のタッチ・センサ３０を用いて、所与のピッチに対し、１２本の信号ルーティング・トレース３６のための十分な間隔が存在するのみである。このタッチ・センサ３０では、１２行の駆動電極３４を有するのみに制限される。信号ルーティング・トレース３６の幅およびピッチが一定の比率ではない一方で、それらは、駆動電極パッド３４および長い検知電極３２と一緒に典型的な割合を有する。より大きいタッチ・センサのために必要とされるより多くの信号ルーティング・トレース３６を付加することは、駆動電極３４および検知電極３２をより離れて離間させること、および／またはサイズを低減することによって、タッチ・センサ性能を著しく低減させる場合がある。
【００２４】
図３に本発明の第１実施形態が示される。図３は、タッチ・センサ４０の第１実施形態が、従来技術に示される検知電極４２を配置することを示す。しかしながら、駆動電極４４の配置が変更される。具体的には、第１実施形態は、多数の駆動電極パッド４４を、タッチ・センサ４０全体に疑ランダム配置で配置する。その結果、タッチ・センサは、別個の領域（「タッチ・センサ領域」とも称されることになる。）に分割することができる。領域の各々は、駆動電極において異なる配置を有する。
【００２５】
各領域において駆動電極４４の異なる配置を有することにより、駆動電極パッド４４の異なる配置のために、タッチ・センサ４０において駆動電極が駆動信号を受け取るときに、各領域で発生する電界が異なることを意味する。例えば、第１領域の駆動電極パッド４４の配置は、強い電界を生成してもよい。対照的に、第２領域の駆動電極パッド４４の配置は、より弱いか実質的にキャンセルされた電界を生成してもよい。異なる領域における駆動電極パッド４４の当該異なる配置によって、この異なる領域が、相互に独立して動作すること、および／または相互の干渉を低減させることを可能にする。
【００２６】
明確にしなければならない１つの概念は、駆動電極パッドまたは検知電極パッドと称するときは、タッチ・センサ領域において相互に「異なる」ものであることを意味するということである。例えば図２において、ｄ１からｄ１２までの駆動電極パッドは、タッチ・センサ・コントローラの異なる駆動ピンに関連している。つまり、タッチ・センサ領域が異なる駆動電極パッドを有するということは、駆動電極パッドに対する信号のソースが異なるということを意味する。反対に、単一の駆動電極パッドの多数コピーが存在する場合、タッチ・センサ・コントローラの同一の信号ソース（例えば、同一の駆動ピン）から駆動されている多数の駆動電極パッドが存在することを意味する。同様に、同一の概念が、タッチ・センサ・コントローラ上で伝送されている検知電極パッドおよびピンに適用される。
【００２７】
図３は、ｄ１からｄ１２までラベル付けされた１２個の駆動電極パッド４４の例を示す。駆動電極パッド４４は、疑ランダム・パターンで配置され、点線のボックスで示される第１領域４６および第２領域４８を規定する。領域の数は２つに限定されない。図示される２つの領域４６、４８の上下左右に追加の異なる領域が存在してもよい。他の領域は、第１領域４６または第２領域４８の何れかとは異なる駆動電極パッド４４の配置を有してもよく、或いは、これら領域の一方または双方が所望されるように繰り返されてもよい。
【００２８】
駆動電極パッド４４の特定の配置が、本発明の実施形態から逸脱しない範囲で修正されてもよいことが理解されるべきである。更に、ルーティング・トレース５０が、より大きいタッチ・センサ４０を生成するために示される特定の電極配置の上下に続いてもよいことが理解されるべきである。駆動電極パッド４４の配置を、１つのみの領域または２以上の領域が一度に有用な電界を有するようにしてもよいことが理解されるべきである。有用な電界を有する領域は、相互に隣接してもよいし、隣接しなくてもよい。
【００２９】
タッチ・センサ４０における駆動電極で伝送される刺激パターンを発生するタッチ・コントローラは、任意の所与の時間に駆動されることになる駆動電極パッド４４の特定のセットを選択する。その結果、各領域は強力な電界単独で、または他のものとの組み合わせによって活性化することができる。
【００３０】
本発明の他の実施形態では、駆動電極パッド４４に伝送される駆動信号の位相はまた、異なる領域の電界に影響を及ぼすように操作されてもよい。本実施形態では、駆動刺激パターンがタッチ・コントローラから伝送され、その結果、幾らかの駆動電極パッド４４が同位相(in-phase)の信号で駆動される一方、他の駆動電極が異なる位相(out-of-phase)の信号で駆動されることになる。
【００３１】
例えば、全ての駆動電極は、同時に駆動されることになる。しかしながら、幾らかの駆動電極が同位相となる信号を受け取る一方で、残りの駆動電極は異なる位相の信号を受け取る。
【００３２】
その結果は、特定の測定動作の間、タッチ・センサの幾らかの領域が、強力な電界を有することになるということである。ここでは、駆動電極のコレクションは全て同位相となる。これに対して、実質的に等しい、同位相および異なる位相の駆動電極の混合が存在する他の領域では、正味の電界は非常に小さくなる。更にまた、他の領域は、異なる位相の駆動電極よりも高い同位相駆動電極の混合を有し、その結果、弱い同位相の電界となる。弱い同位相の電界は、それが実際ほどは強くはないが、実際ほど弱くもない。同様に、領域が、同位相の駆動電極よりも高い異なる位相の駆動電極の混合を有するとき、その結果の電界は上記のシナリオよりも弱くなることがあるが、尚も有用な電界を有する。
【００３３】
したがって、多様な刺激パターンを用いて、タッチ・センサにわたり、また多くの測定期間にわたり、様々なレベルの強度を有する多様な電気パターンを生成することができる。
【００３４】
電界の様々なレベルの強度を有する領域で対処される１つの例では、各測定に対する、感知電極のアナログ・ツー・デジタル（ＡＤＣ）の各変換から結果がベクトルとなる。各接合における静電容量は、各直交ベクトルの内積を見つけることによって決定してもよい。その結果は、タッチ・センサの全表面における静電容量大きさのイメージとしてもよい。
【００３５】
図４は、本発明の他の実施形態を示す。この実施形態では、特定の１つの駆動電極パッド４４を有する領域が存在する。当該駆動電極パッド４４は、何回も繰り替えされる結果、事実上、繰り返された駆動電極パッドが、同一の領域での他の駆動電極よりも大きい領域を実質的に占有する。より多数の１つのドライブ電極パッド４４は、その特定領域における他の駆動電極に対して「有資格者(qualifier)」として機能することができる。換言すれば、繰り返されたドライブ電極パッド４４は、その同一の領域における他の駆動電極パッド４４と同位相で駆動される。他の駆動電極パッド４４は、単に繰り返されないか、またはより少ない回数繰り返される。その効果は、指が特定の測定のために相互作用するためにより大きい電界を形成することができるということである。
【００３６】
特定の測定の間、関連することのない他の領域はまた、駆動されている繰り返された電極駆動パッド４４を有してもよい。このことが望ましくないこともある一方で、電界の生成は、異なる位相の、刺激された隣接駆動電極パッドによって対処されてもよい。これにより、電界が望ましくない領域で電界をキャンセルする。
【００３７】
それ故、図４では、第１領域５２は、繰り返された電極駆動パッド４４を有して示されている。つまり、電極駆動パッドｄ１は、第１領域５２で優位な(dominant)駆動電極パッド４４となる。電極駆動パッドｄ１が信号で駆動される場合、このことは、タッチ測定が行われている領域として第１領域５２に資格を与える。第２領域５４は、優位な電極ドライブ・パッド４４がｄ２とラベル付けされ、そして、ｄ２が刺激されて、第２領域５４を優位な領域とすることができる。
【００３８】
図５は、本発明の他の実施形態を示す。上述した実施形態において多数領域によって使用される大きな検知電極を使用する代わりに、検知電極は、複数のより小さな検知電極パッド６０を備えてもよい。１つの利点は、タッチ・センサ４０におけるより小さな領域に検知がローカライズされるということであり、駆動電極パッド４４とは大きく異なる機能が割り当てられる。この実施形態では、検知電極パッド６０は、より短い多数列にわたり、より小さな領域にグループ化される。隣接する駆動電極パッド４４は、検知電極の各セクションごとに一意としてもよい。検知電極のより小さい電極への当該分類は、タッチ・センサ４０における尚もより小さい領域のために、一意の「アドレス指定(addressing)」を生成する。
【００３９】
本方法の利点は、各列の駆動電極パッド４４が、隣接する検知電極パッド６０の各一意のセットごとに、列に向けて(up the column)繰り返され、つまり、大きなタッチ・センサ４０の生成を可能にする。
【００４０】
なお、幾らかの検知電極パッド６０がタッチ・センサ４０の下部からルーティングされる一方で、他のものはタッチ・センサの上部からルーティングされることができることが留意される。これら実施形態の如何なるものにおいても、検知電極パッド６０の機能はまた、駆動電極パッド４４と交換することができる。つまり、電極パッドは、如何なる測定に対しても、駆動電極パッド４４にも、或いは検知電極パッド６０にもすることができる。
【００４１】
上記の実施形態は、必要に応じて電極の機能を再設定する(reassign)ことができるという多用途性(versatility)を実証するのみならず、相互に干渉することのない多くの領域を生成することによって、より大きな(larger and larger)タッチ・センサを生成するために複数の電極を共にグループ化できる機能をも実証するものである。加えて、領域のサイズはまた変化してもよい。
【００４２】
別の態様では、隣接する領域は、同位相および異なる位相の駆動信号を用いることによって、異なる機能が、または駆動および検知電極パッドの異なるグループが割り当てられてもよい。
【００４３】
図５は、生成されることがある様々な領域を示す。異なる領域６２は、検知電極パッド６０の特定のセットとの関連付けに基づいて、グループ化されることによって示されている。図５はまた、要望どおり、上部または下部まで、左側または右側にまで領域が拡張することを示す。
【００４４】
本発明の実施形態は、駆動および検知電極パッドのタッチ・センサ領域を生成することによって、タッチ・センサへのルーティング・トレースの数を減らす方法に関する。ここでは、異なる領域は、駆動および検知電極パッドの異なる配置を有する。
【００４５】
本方法は、駆動ルーティング・トレースを通じて電極パッドを駆動するように伝送される駆動信号を発生するために、また、検知ルーティング・トレースを通じて複数の検知電極から検知信号を受け取るために、タッチ・センサが有するタッチ・センサ・コントローラを最初に設けるステップを含む。本方法は、また、タッチ・センサにおけるタッチ・センサ領域を形成するステップを含む。ここでは、隣接するタッチ・センサ領域が相互に干渉する電界を生成しないように、隣接するタッチ・センサ領域は、検知電極パッドおよび駆動電極パッドの異なる配置を有する。
【００４６】
幾つかの例示の実施形態のみを上述してきたが、当業者であれば、本発明から具体的に逸脱することなく、多くの変更態様が例示の実施形態で可能であることを容易に理解するであろう。したがって、このような全ての変更態様は、次の特許請求の範囲に規定される本開示の範囲内に含まれることを意図したものである。特許請求の範囲が「するための手段(means for)」の記載をそれに関連する機能と共に明示的に用いたものを除き、本願の如何なる請求項における如何なる限定に対しても、35 U.S.C. 第112条第6パラグラフを適用させないことが、本出願人の明確な意図である。
【図１】
0006757327.tif 000002
【図２】
0006757327.tif 000003
【図３】
0006757327.tif 000004
【図４】
0006757327.tif 000005
【図５】
0006757327.tif 000006